(57)【特許請求の範囲】
【請求項１】
固定側型板群と可動側型板群とから構成され、その可動側型板群にスライドコアとピニオンを有し、前記可動側型板群のスライドコアにはコアピンと可動側型板郡のラックが配置された金型装置であって、前記スライドコアを固定側型板群に取り付けたラックと可動側型板群に取り付けたピニオンとの係合によって開閉し、また、前記固定側型板郡のラックは固定側型板群に対して移動可能に取り付けるように長孔が形成されていると共に、その移動を規制するロックピンが取り付けられ、さらに、そのロックピンを作動させる作動竿は前記可動側型板群に取り付けられており、前記金型の開閉動作によって前記ロックピンに対して離隔・接近可能なものとなっており、また、そのロックピンは弾撥部材により付勢された状態で配置されていると共に、そのロックピンは前記作動間の動作によってその突出動作が規制されており、さらに、そのロックピンの突出動作によって、前記固定側型板群に取り付けたラックの移動が防止され、こうして、前記固定側型板群が開く際には、スライドコアが遅延して成型品から抜け出し、一方、固定側型板群と可動側型板群が閉じる際には、固定側型板群と可動側型板群が完全に閉じる前にスライドコアが復帰するようなしたことを特徴とする金型装置。
【請求項２】
固定側型板群と可動側型板群とから構成され、その可動側型板群にスライドコアとピニオン有し、前記可動側型板群のスライドコアにコアピンと可動側型板郡のラックが配置された金型装置であって、前記スライドコアを固定側型板群に取り付けたラックと可動側型板群に取り付けたピニオンとの係合によって開閉し、また、前記固定側型板群のラックは、ガイド溝にその一端部を摺動自在に装着されており、そのラックは弾撥部材により付勢されていると共に、前記固定側型板群に取り付けたラックの移動を規制し、さらに、金型が開く際にはピニオンの回転を遅延させる一方、金型が閉じる際には遅延することなくピニオンが回転し、金型が完全に閉じる前にスライドコアが復帰するようなしたことを特徴とする金型装置。
【請求項３】
固定側型板群と可動側型板群とから構成され、その可動側型板群にスライドコアとピニオンを有し、前記可動側型板群のスライドコアにコアピンと可動側型板郡のラックが配置され、スライドコアと可動側型板郡のラックの間には弾撥部材が配置された金型装置であって、前記スライドコアを固定側型板群に取り付けたラックと可動側型板群に取り付けたピニオンとの係合によって開閉し、前記弾撥部材による可動側型板郡のラックとスライドコアとの付勢によって、金型が開く際にはスライドコアが遅延し、一方、金型が閉じる際には、金型が完全に閉じる前にスライドコアが復帰するようなしたことを特徴とする金型装置。
【発明の詳細な説明】
【０００１】
【発明の属する技術分野】
本発明は、固定側型板群と可動側型板群とから構成され、その可動側型板群にスライドコアを有し、そのスライドコアにコアピンが配置された金型装置に関する。
【０００２】
【従来技術】
図１５に示し説明する。固定側型板群１０１の内部には、キャビティー１０２と、後述するスライドコアを締め付けるロッキングブロック１０３などが配置されている。また、固定側型板群１０１の側部には、ラック１０４が固定されている。
一方、可動側型板群１０５の内部には、前記キャビティー１０２と一対のキャビティー１０５とスライドコア１０６が配置されている。そのスライドコア１０６には、成型品Ｗに内側に中空部を形成するコアピン１０７が固定されている。また、前記スライドコア１０６には、ラック１０８が固定されており、そのラック１０８には、ピニオン１０９が係合している。そして、そのピニオン１０９は、第２ピニオン１１０を介して、前記固定側型板群１０１のラック１０４に係合している。つまり、固定側型板群１０１と可動側型板群１０５の開閉に応じてスライドコア１０６は、移動できるものとなっている。即ち、固定側型板群１０１と可動側型板群１０５が拡開すると、コアピン１０７が成型品Ｗから抜け出るようになっている。
【０００３】
しかし、前記コアピン１０７が短い場合には、前記従来技術で示した金型装置で、当該成型品を成型することができるが、コアピンが長い場合には、固定側型板群と可動側型板群の拡開量を多くするか、あるいは、ロッキングブロックやスライド部材の傾斜角θを少なくしなければならなかった。
しかし、前者の拡開量を多くすることは、成型機の大きさや金型の厚み、設置スペースのなど問題からきわめて困難であり、また、後者の傾斜角θを小さくしてしまうことは、スライドコアの締め付け力を弱めることになってしまい（図１６参照）、バリの発生の原因となり、実用的ではない。即ち、ロッキングブロックのスライドコアに対するくさび効果が弱まってしまうのである。
【０００４】
【発明が解決しようとする課題】
そこで、前記固定側型板群１０１のラック１０４を、その固定側型板群１０１に対して移動自在に取り付けた金型装置が開発された。具体的に説明すると、ラック１０４には、長孔１１１が形成されており、その長孔１１１には、前記固定側型板群１０１に固定されたボルト１１２が係合している。そして、前記長孔１１１によって、固定側型板群と可動側型板群の拡開と、スライドコアの移動するタイミングを調整している（図１７〜図１９参照）。
この動作について説明すると、固定側型板群１０１と可動側型板群１０５の拡開初期時点においては、前記長孔１１１によって、スライドコア１０６が移動せず、ある程度拡開した後に、スライドコア１０６が移動し始める。しかし、固定側型板群と可動側型板群を閉じる際にも、前記長孔の作用によって、ある程度閉じてから、スライドコアが移動を開始する。ここで、問題が発生してしまうのである。即ち、スライドコアの移動が遅延するため、そのスライドコアの上面が、固定側型板群のロッキングブロックの前端に激突してしまうのである。
【０００５】
【課題を解決するための手段】
本発明は、固定側型板群と可動側型板群とから構成され、その可動側型板群にスライドコアとピニオンを有し、前記可動側型板群のスライドコアにはコアピンと可動側型板郡のラックが配置された金型装置であって、前記スライドコアを固定側型板群に取り付けたラックと可動側型板群に取り付けたピニオンとの係合によって開閉し、また、前記固定側型板郡のラックは固定側型板群に対して移動可能に取り付けるように長孔が形成されていると共に、その移動を規制するロックピンが取り付けられ、さらに、そのロックピンを作動させる作動竿は前記可動側型板群に取り付けられており、前記金型の開閉動作によって前記ロックピンに対して離隔・接近可能なものとなっており、また、そのロックピンは弾撥部材により付勢された状態で配置されていると共に、そのロックピンは前記作動間の動作によってその突出動作が規制されており、さらに、そのロックピンの突出動作によって、前記固定側型板群に取り付けたラックの移動が防止され、こうして、前記固定側型板群が開く際には、スライドコアが遅延して成型品から抜け出し、一方、固定側型板群と可動側型板群が閉じる際には、固定側型板群と可動側型板群が完全に閉じる前にスライドコアが復帰するようなしたことを第１の要旨とし、固定側型板群と可動側型板群とから構成され、その可動側型板群にスライドコアとピニオン有し、前記可動側型板群のスライドコアにコアピンと可動側型板郡のラックが配置された金型装置であって、前記スライドコアを固定側型板群に取り付けたラックと可動側型板群に取り付けたピニオンとの係合によって開閉し、また、前記固定側型板群のラックは、ガイド溝とその内壁面よりラックの一端部を摺動自在になるように装着されており、そのラックは弾撥部材をより付勢されていると共に、前記固定側型板群に取り付けたラックの移動を規制し、さらに、金型が開く際にはピニオンの回転を遅延させる一方、金型が閉じる際には遅延することなくピニオンが回転し、金型が完全に閉じる前にスライドコアが復帰するようなしたことを第２の要旨とし、固定側型板群と可動側型板群とから構成され、その可動側型板群にスライドコアとピニオンを有し、前記可動側型板群のスライドコアにコアピンと可動側型板郡のラックが配置され、スライドコアと可動側型板郡のラックの間には弾撥部材が配置された金型装置であって、前記スライドコアを固定側型板群に取り付けたラックと可動側型板群に取り付けたピニオンとの係合によって開閉し、前記弾撥部材による可動側型板郡のラックとスライドコアとの付勢によって、金型が開く際にはスライドコアが遅延し、一方、金型が閉じる際には、金型が完全に閉じる前にスライドコアが復帰するようなしたことを第３の要旨とする。
【０００６】
【実施例】
第１例を図１〜図７に示し説明する。固定側型板群１の内部には、キャビティー２と、後述するスライドコアを締め付けるロッキングブロック３などが配置されている。このロッキングブロック３は、前記従来技術のロッキングブロック１０３の角度θよりも鈍角な傾斜面（θ２：図３参照）を有している。即ち、前記スライドコアの締め付け力を大きくしているのである。また、固定側型板群１の側部には、ラック４が取り付けられているが、そのラック４は、固定側型板群１に対して前後動自在に取り付けられている。具体的に説明すると、ラック４には、長孔５が形成されており、固定側型板群１に固定されたボルト６に嵌りこんでいる。また、固定側型板群１には、ラック４の後退を阻止するロックピン７が、コイルスプリングなどの弾撥部材８で、前記ラック４の方向に付勢された状態で配置されている。そして、そのロックピン７の中間部には、後述する作動竿が入り込む貫通孔９が形成されており、その貫通孔９はテーパー状になっている。作動竿が入り込みやすいようになっているのである。
【０００７】
一方、可動側型板群１０の内部には、前記キャビティー２と一対のキャビティー１１とスライドコア１２が配置されている。そのスライドコア１２には、成型品Ｗの内側に中空部を形成するコアピン１３が固定されている。また、前記スライドコア１２には、ラック１４が固定されており、そのラック１４には、ピニオン１５が係合している。そして、そのピニオン１５は、第２ピニオン１６を介して、前記固定側型板群１のラック４に係合している。つまり、固定側型板群１と可動側型板群１０の開閉に応じてスライドコア１２は、移動できるものとなっている。即ち、固定側型板群１と可動側型板群１０が拡開すると、コアピン１３が成型品Ｗから抜け出るようになっている。
また、この可動側型板群１０には、前述ロックピン７の貫通孔９に入り込む作動竿１７が固定されている。この作動竿１７の前端には、傾斜面が形成されており、やはり、前記貫通孔９に入り込みやすいように設計されている。ちなみに、この作動竿１７は、金型が閉じている状態においては、前記貫通孔９に嵌りこんでおり、ロックピン７を弾撥部材８の弾撥力に抗して押し上げている。
尚、符号１８は、成形終了後に成型品Ｗをキャビティー１１から押し出すエジェクターピンであって、そのエジェクターピン１８は、金型の拡開動作に伴って相対的に移動するエジェクタープレート１９に固定されている。
また、符号２０は、前記ロックピン７の動作を確認する近接センサーであるが、必須のものではない。
【０００８】
次に、動作について説明する。図１，図２に示す状態（金型が閉鎖している状態）で、樹脂が注入され成形が行われる。成形が終了すると、固定側型板群１と可動側型板群１０が離隔し拡開する。この拡開動作によって、前記ラック４と作動竿１７が可動側型板群１０によって連行される。ある程度、金型が拡開すると、作動竿１７がロックピン７の貫通孔９から抜け出て、ロックピン７が弾撥部材８によって押し出される。そして、その結果、ロックピン７は、前記ラック４の後端に形成されている係合受部４ａに係合し、ラック４の後退（復帰）が阻止される（図４，図５参照）。ここで、近接センサー２０によって、ロックピン７の突出動作が確認され、正常に突出している場合には、次の動作へと移行する。しかし、ロックピン７の突出動作が確認されない場合には、従来技術同様に、金型の閉鎖動作で、スライドコア１２などを破壊してしまう危険性があるため、成型機、並びに、金型の動作が停止する。また、この時、ラック４の長孔の後端は、前記固定側型板群１に固定されているボルト６に当接している。
ロックピン７の突出動作が確認させ、さらに金型が拡開すると、前記ラック４の前進移動がボルト６によって規制されているため、ラック４によって第２ピニオン１６、続いて、ピニオン１５が回転を開始する。このピニオン１５の回転によって、ラック１４が移動を開始すると共に、スライドコア１２に固定されているコアピン１３が成型品Ｗから抜け出てくる。そして、さらに金型を拡開させると、エジェクターピン１８によって成型品Ｗがキャビティー１１から突き出される。
成型品の突き出し終了後、金型を閉じようとすると、前記の動作によってラック４の後退（復帰）動作がロックピン７により阻止されているため、２次ピニオン１６並びにピニオン１５がラック４によって回転させられ、その結果、スライドコア１２が復帰すると共にコアピン１３がキャビティー１１内に復帰する。さらに閉鎖動作が進むと、前記作動竿１７が再びロックピン７を押し上げる（図４，図５の状態に復帰する）。この時から、前記ラック４の後退動作が可能となり、元の状態に後退・復帰すると共に、金型が完全に閉鎖する（図１，図２の状態に復帰する）。即ち、スライドコア１２やコアピン１３が完全に復帰した後に、金型が完全に閉鎖する。
【０００９】
第２例を図８、図９に示し説明する。前記第１例と同様な構成は、その説明を省略し異なる点を説明する。固定側型板群２１の内部には、前記第１例と同様キャビティー２やロッキングブロック３などが配置されている。また、固定側型板群２１の側部には、ラック２２が取り付けられているが、そのラック２２は、固定側型板群１に対して前後動自在に取り付けられている。具体的に説明すると、ラック２２は、固定側型板群２１に形成されたガイド溝２３にその一端部を摺動自在の装着しており、また、コイルスプリングなどの弾撥部材２４によって、可動側型板群１０の方向に付勢されている。
一方、可動側型板群１０は、前記第１例と同様な構成をしており、第２ピニオン１６が、前記固定側型板群１のラック２２に係合している。
【００１０】
次に、動作について説明する。図８，図９に示す状態（金型が閉鎖している状態）で、樹脂が注入され成形が行われる。成形が終了すると、固定側型板群１と可動側型板群１０が離隔し拡開する。この拡開動作によって、前記ラック２２は弾撥部材２４の弾撥作用によってガイド溝２３内を前進するため、第２ピニオン１６を回転させることがない。よって、スライドコア１２も移動はしない。しかし、ラック２２の鍔部２５がガイド溝２３の内壁面２６に当接すると、ラック２２の移動が規制される（図１０，図１１参照）。ここで、さらに金型が拡開すると、前記ラック２２の前進移内壁面２６によって規制されているため、ラック２２によって第２ピニオン１６、続いて、ピニオン１５が回転を開始する。このピニオン１５の回転によって、ラック１４が移動を開始すると共に、スライドコア１２に固定されているコアピン１３が成型品Ｗから抜け出てくる。そして、さらに金型を拡開させると、エジェクターピン１８によって成型品Ｗがキャビティー１１から突き出される（図１２，図１３参照）。
成型品の突き出し終了後、金型を閉じようとすると、ラック２２の後退（復帰）動作は弾撥部材２４の弾撥作用によって阻止されているため、２次ピニオン１６並びにピニオン１５がラック４によって回転させられ、その結果、スライドコア１２が復帰すると共にコアピン１３がキャビティー１１内に復帰する。さらに閉鎖動作が進むと、前記弾撥部材２４の圧縮が開始され、前記ラック２２の後退動作が可能となり、元の状態に後退・復帰すると共に、金型が完全に閉鎖する（図８，図９の状態に復帰する）。即ち、スライドコア１２やコアピン１３が完全に復帰した後に、金型が完全に閉鎖する。
尚、この第２例においては、弾撥部材２４をラック２２の側に設置したが、図１４に示すように、ラック１４の側に設置しても良い。具体的に説明すると、前記ラック２２は、固定側型板群２１にボルトなどによって固定されており、ラック１４とスライドコア１２との間には、コイルスプリングなどの弾撥部材２７が配置されている。つまり、ラック１４とスライドコア１２とは、反発されている状態にある。金型が開く際には、スライドコア１２が遅延して成型品から抜け出し、金型が閉じる際には、金型が完全に閉じる前にスライドコア１２が復帰する。
【００１１】
【発明の効果】
本発明は、固定側型板群と可動側型板群とから構成され、その可動側型板群にスライドコアとピニオンを有し、前記可動側型板群のスライドコアにはコアピンと可動側型板郡のラックが配置された金型装置であって、前記スライドコアを固定側型板群に取り付けたラックと可動側型板群に取り付けたピニオンとの係合によって開閉し、また、前記固定側型板郡のラックは固定側型板群に対して移動可能に取り付けるように長孔が形成されていると共に、その移動を規制するロックピンが取り付けられ、さらに、そのロックピンを作動させる作動竿は前記可動側型板群に取り付けられており、前記金型の開閉動作によって前記ロックピンに対して離隔・接近可能なものとなっており、また、そのロックピンは弾撥部材により付勢された状態で配置されていると共に、そのロックピンは前記作動間の動作によってその突出動作が規制されており、さらに、そのロックピンの突出動作によって、前記固定側型板群に取り付けたラックの移動が防止され、こうして、前記固定側型板群が開く際には、スライドコアが遅延して成型品から抜け出し、一方、固定側型板群と可動側型板群が閉じる際には、固定側型板群と可動側型板群が完全に閉じる前にスライドコアが復帰するようなしたことを第１の要旨とし、固定側型板群と可動側型板群とから構成され、その可動側型板群にスライドコアとピニオン有し、前記可動側型板群のスライドコアにコアピンと可動側型板郡のラックが配置された金型装置であって、前記スライドコアを固定側型板群に取り付けたラックと可動側型板群に取り付けたピニオンとの係合によって開閉し、また、前記固定側型板群のラックは、ガイド溝とその内壁面よりラックの一端部を摺動自在になるように装着されており、そのラックは弾撥部材をより付勢されていると共に、前記固定側型板群に取り付けたラックの移動を規制し、さらに、金型が開く際にはピニオンの回転を遅延させる一方、金型が閉じる際には遅延することなくピニオンが回転し、金型が完全に閉じる前にスライドコアが復帰するようなしたことを第２の要旨とし、固定側型板群と可動側型板群とから構成され、その可動側型板群にスライドコアとピニオンを有し、前記可動側型板群のスライドコアにコアピンと可動側型板郡のラックが配置され、スライドコアと可動側型板郡のラックの間には弾撥部材が配置された金型装置であって、前記スライドコアを固定側型板群に取り付けたラックと可動側型板群に取り付けたピニオンとの係合によって開閉し、前記弾撥部材による可動側型板郡のラックとスライドコアとの付勢によって、金型が開く際にはスライドコアが遅延し、一方、金型が閉じる際には、金型が完全に閉じる前にスライドコアが復帰するようなしたので、動作の良好な金型装置を提供することができる。
【図面の簡単な説明】
【図１】  本発明の第１例を示す要部上面図。
【図２】  図１の縦断面図。
【図３】  図２の要部拡大図。
【図４】  動作を示す上面図。
【図５】  図４の縦断面図。
【図６】  動作を示す上面図。
【図７】  図５の縦断面図。
【図８】  本発明の第２例を示す要部上面図。
【図９】  図８の縦断面図。
【図１０】  動作を示す上面図。
【図１１】  図１０の縦断面図。
【図１２】  動作を示す上面図。
【図１３】  図１２の縦断面図。
【図１４】  第２例の変形例を示す縦断面図。
【図１５】  従来の金型を示す断面図。
【図１６】  図１０の要部拡大図。
【図１７】  第２従来例を示す要部断面図。
【図１８】  図１２の側面図。
【図１９】  第２従来例の動作を示す要部断面図。
【符号の説明】
１    固定側型板群
２    キャビティー
３    ロッキングブロック
４    ラック
５    長孔
６    ボルト
７    ロックピン
８    弾撥部材
９    貫通孔
１０  可動側型板群
１１  キャビティー
１２  スライドコア
１３  コアピン
１４  ラック
１５  ピニオン
１６  ２次ピニオン
１７  作動竿
１８  エジェクターピン
１９  エジェクタープレート
２０  近接センサー
２１  固定側型板群
２２  ラック
２３  ガイド溝
２４  弾撥部材
２５  鍔部
２６  内壁面
２７  弾撥部材
【図１】
0004389395.tif 000002
【図２】
0004389395.tif 000003
【図３】
0004389395.tif 000004
【図４】
0004389395.tif 000005
【図５】
0004389395.tif 000006
【図６】
0004389395.tif 000007
【図７】
0004389395.tif 000008
【図８】
0004389395.tif 000009
【図９】
0004389395.tif 000010
【図１０】
0004389395.tif 000011
【図１１】
0004389395.tif 000012
【図１２】
0004389395.tif 000013
【図１３】
0004389395.tif 000014
【図１４】
0004389395.tif 000015
【図１５】
0004389395.tif 000016
【図１６】
0004389395.tif 000017
【図１７】
0004389395.tif 000018
【図１８】
0004389395.tif 000019
【図１９】
0004389395.tif 000020